(57)【要約】【課題】取付部位に応じて撮像方式及び記録方式を選択することができる撮像装置及びプログラムの提供。【解決手段】複数の撮像方式から選択される一の撮像方式にて被写体を撮像し、撮像して得られる映像データを出力する撮像部と、撮像部から出力される映像データを複数の記録方式から選択される一の記録方式にて記録する記録部とを備え、複数の取付部位への取り付けを可能とするために、各取付部位に対応した複数種の取付具が着脱可能に装着される撮像装置において、装着された取付具を検出するための検出部と、検出部が検出した取付具に応じて、複数の撮像方式及び前記複数の記録方式から、一の撮像方式及び一の記録方式を選択する選択部とを備える。【選択図】図７
2017028348.tif 000002
【特許請求の範囲】
【請求項１】
複数の撮像方式から選択される一の撮像方式にて被写体を撮像し、撮像して得られる映像データを出力する撮像部と、該撮像部から出力される映像データを複数の記録方式から選択される一の記録方式にて記録する記録部とを備え、複数の取付部位への取り付けを可能とするために、各取付部位に対応した複数種の取付具が着脱可能に装着される撮像装置において、
装着された取付具を検出するための検出部と、
該検出部が検出した取付具に応じて、前記複数の撮像方式及び前記複数の記録方式から、一の撮像方式及び一の記録方式を選択する選択部と
を備えることを特徴とする撮像装置。
【請求項２】
前記取付具は、車体への取付具と、人体への取付具とを含み、
前記検出部が前記車体への取付具を検出した場合、前記選択部は、前記車体の外部を撮像して映像データを記録するために設定された撮像方式及び記録方式を選択し、
前記検出部が前記人体への取付具を検出した場合、前記選択部は、前記人体に取り付けられた状態にて被写体を撮像して映像データを記録するために設定された撮像方式及び記録方式を選択する
ことを特徴とする請求項１に記載の撮像装置。
【請求項３】
受音した音に基づく信号を出力する受音部と、
該受音部から出力される信号に信号処理を施す信号処理部と、
該信号処理部により信号処理を施して得られる音データを記録する音データ記録部と
を備え、
前記取付具は、二輪車への取付具を含み、
前記検出部が前記二輪車への取付具を検出した場合、前記信号処理部は、前記受音部から出力される信号に対し、風切り音を抑制する処理を施す
ことを特徴とする請求項１又は請求項２に記載の撮像装置。
【請求項４】
前記検出部は、
装着された取付具によりオン及びオフが切り替わる１又は複数のスイッチ
を備え、
前記選択部は、
前記１又は複数のスイッチのオン又はオフに基づき、撮像方式及び記録方式を選択する
ことを特徴とする請求項１から請求項３の何れか１つに記載の撮像装置。
【請求項５】
前記検出部は、
装着された取付具に応じて異なる検出信号を出力する近接センサ、光学センサ及び磁気センサのうちの少なくとも１つのセンサ
を備え、
前記選択部は、
前記センサから出力される検出信号に基づき、撮像方式及び記録方式を選択する
ことを特徴とする請求項１から請求項３の何れか１つに記載の撮像装置。
【請求項６】
前記撮像方式は、フレームレート、ビットレート、解像度、手振れ補正の要否、及び画角のうち、少なくとも１つを設定してあることを特徴とする請求項１から請求項５の何れか１つに記載の撮像装置。
【請求項７】
前記記録方式は、記録開始タイミング、映像データの上書きの可否、及び映像データの分割の要否のうち、少なくとも１つを設定してあることを特徴とする請求項１から請求項６の何れか１つに記載の撮像装置。
【請求項８】
複数の取付部位への取り付けを可能とする複数種の取付具が着脱可能に装着される撮像装置に、
装着された取付具の種類に係る情報を取得し、取得した取付具の種類に係る情報に基づき、複数の撮像方式及び前記複数の記録方式から、一の撮像方式及び一の記録方式を選択する処理
を実行させるためのプログラム。
【発明の詳細な説明】
【技術分野】
【０００１】
本発明は、複数の取付部位への取り付けが可能な撮像装置及びプログラムに関する。
【背景技術】
【０００２】
人体又は自動車等の移動体に取り付けられた状態にて撮像を行う撮像装置が知られている。このような撮像装置の利用方法の１つとして、例えば、取付具を介して撮像装置をユーザの頭部に取り付け、ユーザが見ている光景を撮像して行動履歴として記録するウェアラブルカメラとしての利用方法がある。また、別の取付具を介して撮像装置を自動車の車内に取り付け、運転中の車外の光景を連続的に撮像し記録するドライブレコーダとしての利用方法もある。
【先行技術文献】
【特許文献】
【０００３】
【特許文献１】特開２００４−５６７８５号公報
【発明の概要】
【発明が解決しようとする課題】
【０００４】
従来の撮像装置は、撮像装置の取付部位に応じて映像データの撮像方式及び記録方式を自動的に切り替えるものではないため、ユーザは、人体又は移動体などの取付部位に取り付ける前に撮像方式及び記録方式の設定を行い、取付部位に撮像装置を取り付けた後に撮像及び記録を開始させていた。
【０００５】
本発明は、斯かる事情に鑑みてなされたものであり、取付部位に応じて撮像方式及び記録方式を自動的に設定できる撮像装置及びプログラムを提供することを目的とする。
【課題を解決するための手段】
【０００６】
本願の撮像装置は、複数の撮像方式から選択される一の撮像方式にて被写体を撮像し、撮像して得られる映像データを出力する撮像部と、該撮像部から出力される映像データを複数の記録方式から選択される一の記録方式にて記録する記録部とを備え、複数の取付部位への取り付けを可能とするために、各取付部位に対応した複数種の取付具が着脱可能に装着される撮像装置において、装着された取付具を検出するための検出部と、該検出部が検出した取付具に応じて、前記複数の撮像方式及び前記複数の記録方式から、一の撮像方式及び一の記録方式を選択する選択部とを備えることを特徴とする。
【０００７】
本願の撮像装置は、前記取付具は、車体への取付具と、人体への取付具とを含み、前記検出部が前記車体への取付具を検出した場合、前記選択部は、前記車体の外部を撮像して映像データを記録するために設定された撮像方式及び記録方式を選択し、前記検出部が前記人体への取付具を検出した場合、前記選択部は、前記人体に取り付けられた状態にて被写体を撮像して映像データを記録するために設定された撮像方式及び記録方式を選択することを特徴とする。
【０００８】
本願の撮像装置は、受音した音に基づく信号を出力する受音部と、該受音部から出力される信号に信号処理を施す信号処理部と、該信号処理部により信号処理を施して得られる音データを記録する音データ記録部とを備え、前記取付具は、二輪車への取付具を含み、前記検出部が前記二輪車への取付具を検出した場合、前記信号処理部は、前記受音部から出力される信号に対し、風切り音を抑制する処理を施すことを特徴とする。
【０００９】
本願の撮像装置は、前記検出部は、装着された取付具によりオン及びオフが切り替わる１又は複数のスイッチを備え、前記選択部は、前記１又は複数のスイッチのオン又はオフに基づき、撮像方式及び記録方式を選択することを特徴とする。
【００１０】
本願の撮像装置は、前記検出部は、装着された取付具に応じて異なる検出信号を出力する近接センサ、光学センサ及び磁気センサのうちの少なくとも１つのセンサを備え、前記選択部は、前記センサから出力される検出信号に基づき、撮像方式及び記録方式を選択することを特徴とする。
【００１１】
本願の撮像装置は、前記撮像方式は、フレームレート、ビットレート、解像度、手振れ補正の要否、及び画角のうち、少なくとも１つを設定してあることを特徴とする。
【００１２】
本願の撮像装置は、前記記録方式は、記録開始タイミング、映像データの上書きの可否、及び映像データの分割の要否のうち、少なくとも１つを設定してあることを特徴とする。
【００１３】
本願のプログラムは、複数の取付部位への取り付けを可能とする複数種の取付具が着脱可能に装着される撮像装置に、装着された取付具の種類に係る情報を取得し、取得した取付具の種類に係る情報に基づき、複数の撮像方式及び前記複数の記録方式から、一の撮像方式及び一の記録方式を選択する処理を実行させるためのプログラムである。
【発明の効果】
【００１４】
本願によれば、取付部位に応じて撮像方式及び記録方式を自動的に設定することができる。
【図面の簡単な説明】
【００１５】
【図１】本実施の形態に係る撮像装置の模式的斜視図である。
【図２】取付具の装着例を示す模式図である。
【図３】検出部の構成を示す模式図である。
【図４】実施の形態１における取付具の検出手法を説明する説明図である。
【図５】撮像装置の内部構成を示すブロック図である。
【図６】スイッチのオン／オフに応じて選択される撮像方式及び記録方式の一例を説明する説明図である。
【図７】撮像装置の動作手順を説明するフローチャートである。
【図８】実施の形態２における取付具の検出手法を説明する説明図である。
【図９】実施の形態３に係る取付具の検出手法を説明する説明図である。
【図１０】実施の形態４における取付具の検出手法を説明する説明図である。
【図１１】実施の形態５における取付具の検出手法を説明する説明図である。
【図１２】実施の形態６における取付具の検出手法を説明する説明図である。
【発明を実施するための形態】
【００１６】
以下、本発明をその実施の形態を示す図面に基づいて具体的に説明する。
（実施の形態１）
図１は本実施の形態に係る撮像装置の模式的斜視図である。本実施の形態に係る撮像装置１は、例えば直方体状の筐体の一面（正面側）に撮像レンズを含む撮像部１０３を有し、撮像部１０３により被写体を撮像して得られる映像データをメモリ等の記録部１０７（図５を参照）に記録する装置である。
【００１７】
撮像装置１には、様々な取付部位に対応した取付具が着脱可能に装着される。図２は取付具の装着例を示す模式図である。図２Ａは、車両（自動車）のフロントガラスに撮像装置１を取り付けるための取付具２の装着例を示している。取付具２は、撮像装置１の筐体を収容するケーシング２１、ケーシング２１の上面から上方に立設される支柱部２２、及び支柱部２２の上端に設けられる吸盤２３を備える。ユーザは、撮像装置１の筐体を取付具２のケーシング２１に収容することにより、撮像装置１に取付具２を装着する。
【００１８】
取付具２が装着された撮像装置１は、取付具２が備える吸盤２３の吸着力によってフロントガラスの内面に取り付けられる。本実施の形態では、撮像装置１が取付具２を介して車両のフロントガラスに取り付けられることにより、撮像レンズが車両の前方を向くように構成されている。撮像装置１は、運転中における車両前方の光景を撮像し、得られる映像データを記録部１０７に記録することでドライブレコーダとして機能することができる。
【００１９】
図２Ｂは、ユーザの頭部又は腕に撮像装置１を取り付けるための取付具３の装着例を示している。取付具３は、撮像装置１の筐体を収容するケーシング３１、及びケーシング３１の側面に設けられたバンド固定部３２からケーシング３１の前後方向へ延び、円環状をなすバンド３３を備える。ユーザは、撮像装置１の筐体を取付具３のケーシング３１に収容することにより、撮像装置１に取付具３を装着する。
【００２０】
取付具３が装着された撮像装置１は、取付具３が備えるバンド３３によってユーザの頭部又は腕に取り付けられる。本実施の形態では、撮像装置１が取付具３を介してユーザの頭部又は腕に取り付けられることにより、撮像レンズがユーザの前方を向くように構成されている。撮像装置１は、ユーザの移動中に前方の光景を撮像し、得られる映像データを記録部１０７に記録することでウェアラブルカメラとして機能することができる。
【００２１】
図２Ｃは、二輪車に撮像装置１を取り付けるための取付具４の装着例を示している。取付具４は、撮像装置１の筐体を収容するケーシング４１、ケーシング４１の下面から下方に立設される支柱部４２、及び支柱部４２の下端に設けられるクランプ部４３を備える。ユーザは、撮像装置１の筐体を取付具４のケーシング４１に収容することにより、撮像装置１に取付具４を装着する。
【００２２】
取付具４が装着された撮像装置１は、取付具４が備えるクランプ部４３によって二輪車のハンドルフレーム等に取り付けられる。本実施の形態では、撮像装置１が取付具４を介して二輪車のハンドルフレーム等に取り付けられることにより、撮像レンズが二輪車の前方を向くように構成されている。撮像装置１は、二輪車の運転中に前方の光景を撮像し、得られる映像データを記録部１０７に記録することでドライブレコーダとして機能することができる。
【００２３】
なお、図２に示す取付具２〜４は、撮像装置１による撮像方向を固定化するものとして説明したが、撮像方向の任意に調整できるように、水平角を調整するための回転台、チルト角を調整するためのチルト機構等を備えるものであってもよい。
【００２４】
本実施の形態に係る撮像装置１は、装着された取付具２〜４を検出する検出部１１２（図３を参照）を備える。なお、実施の形態１では、車両への取付具２を検出する構成について説明し、後述する実施の形態２及び３において、車両への取付具２と人体への取付具３を区別して検出する構成、及び取付具２〜４のそれぞれを区別して検出する構成について説明する。
【００２５】
図３は検出部１１２の構成を示す模式図である。撮像装置１は、筐体の背面側に検出部１１２を備える。また、取付具２は、撮像装置１に装着された状態にて検出部１１２と対向する位置に設けられ、ケーシング２１の内壁から検出部１１２の側へ突設された検出突起２１０を備える。検出部１１２は、取付具２が撮像装置１に装着された状態にて検出突起２１０を検出することにより、取付具２を検出する。
【００２６】
なお、実施の形態１では、車両への取付具２にのみ検出突起２１０が設けられており、人体への取付具３及び二輪車への取付具４には設けられていないものとする。
【００２７】
図４は実施の形態１における取付具２の検出手法を説明する説明図である。実施の形態１に係る検出部１１２は、取付具２の装着時に検出突起２１０を案内する案内孔１１２ａと、案内孔１１２ａの内部に設けられたスイッチＳＷとを備える。
【００２８】
検出部１１２のスイッチＳＷは、例えばプッシュ式のスイッチであり、取付具２が装着されておらず、取付具２の検出突起２１０が検出部１１２から離隔している場合にオフとなり（図４Ａを参照）、取付具２の装着時に検出突起２１０が案内孔１１２ａの内部に案内され、検出突起２１０により押圧された場合にオンとなるように構成されている（図４Ｂを参照）。すなわち、実施の形態１に係る検出部１１２は、車両（四輪車）への取り付けを可能とした取付具２が撮像装置１に装着された場合にスイッチＳＷがオンに切り替わり、当該取付具２が撮像装置１から取り外された場合にスイッチＳＷがオフに切り替わるように構成されている。
【００２９】
実施の形態１に係る撮像装置１は、検出部１１２のスイッチＳＷがオンである場合、車両への取付具２が装着されていると判断し、ドライブレコーダ用の撮像方式及び記録方式を選択する。
【００３０】
一方、検出部１１２のスイッチＳＷがオフである場合、撮像装置１は、スイッチＳＷをオンに切り替えない他の取付具（例えば人体への取り付けを可能とした取付具３）が装着されている、又は撮像装置１に取付具２〜４が装着されていないと判断し、アクションカム用の撮像方式及び記録方式を選択する。
【００３１】
以下、撮像装置１の制御系の構成を説明する。
図５は撮像装置１の内部構成を示すブロック図である。撮像装置１は、制御部１０１、記憶部１０２、撮像部１０３、受音部１０４、信号処理部１０５、記録再生部１０６、記録部１０７、表示部１０８、操作部１０９、出力部１１０、通信部１１１、及び検出部１１２を備える。
【００３２】
制御部１０１は、例えばＳＯＣ（System On a Chip）による集積回路であり、ＣＰＵ（Central Processing Unit）、ＲＯＭ（Read Only memory）、ＧＰＩＯ（General Purpose Input / Output）などを備える。制御部１０１内のＣＰＵは、ＲＯＭに予め格納されたプログラムを実行することにより、上述したハードウェア各部の動作を制御し、装置全体を本発明の撮像装置１として機能させる。また、制御部１０１は、日時情報を出力する時計手段、計測開始指示を与えてから計測終了指示を与えるまでの経過時間を計測するタイマ、数をカウントするカウンタ等の機能を備えていてもよい。
【００３３】
記憶部１０２は、ＥＥＰＲＯＭ（Electronically Erasable Programmable Read Only Memory）などの不揮発性メモリにより構成されており、複数の撮像方式に係る設定情報、複数の記録方式に係る設定情報等の各種設定情報を記憶する。記憶部１０２に記憶される設定情報は、撮像装置１の製造元等により予め設定された情報であってもよく、操作部１０９を通じてユーザにより設定された情報であってもよい。
【００３４】
撮像部１０３は、外部からの入射光を結像するための撮像レンズを含む光学系、光学系を通過した光を光量に応じた電気信号（アナログ電気信号）に変換する撮像素子、撮像素子が出力する電気信号からフレーム単位の映像データ（デジタルデータ）を生成する信号処理部、信号処理部により生成されたフレーム単位の映像データを出力する映像出力部などを備える。撮像部１０３から出力された映像データは、例えば、記録再生部１０６を通じて記録部１０７に記録される。
【００３５】
受音部１０４は、受音した音に基づいてアナログの電気信号を出力するマイク、当該マイクにより出力される電気信号を増幅する増幅器、増幅した電気信号をデジタの信号に変換するＡＤ変換器等を備え、変換後の信号を信号処理部１０５へ出力する。
【００３６】
信号処理部１０５は、受音部１０４から入力されるデジタルの信号に対して適宜の信号処理を施し、予め定められたフォーマットの音データを生成する。信号処理部１０５では、例えば、雑音を抑制する処理、特定周波数帯域の信号を抑制又は強調する処理、データ量を削減するための符号化処理等を行う。信号処理部１０５にて生成される音データは、例えば、記録再生部１０６を通じて記録部１０７に記録される。
【００３７】
記録部１０７は、映像データ及び音データ等のデータを記録するための記録媒体を備える。記録媒体は、撮像装置１に内蔵されたメモリであってもよく、ＳＤカード（SD : Secure Digital）、ＣＦカード（CF : Compact Flash）等の着脱自在の装着される可搬型のメモリカードであってもよい。記録再生部１０６は、撮像部１０３から出力される映像データ、信号処理部１０５から出力される音データ等のデータを記録部１０７に記録する制御と、記録部１０７に記録済みの映像データ及び音データ等のデータを読み出す制御とを行う。なお、映像データ及び音データは、それぞれ個別のファイルとして記録部１０７に記録される必要はなく、ＭＰ４、ＡＶＣＨＤ（Advanced Video Codec High Definition，登録商標）等の映像データ及び音データの双方を格納可能なファイルフォーマットで記録されるものであってもよい。
【００３８】
表示部１０８は、ＬＥＤ（ Light Emitting Diode）ランプ、液晶表示パネル等により構成されており、ユーザに通知すべき情報、記録再生部１０６によって記録部１０７から読み出された映像データに基づく映像等を表示する。
【００３９】
操作部１０９は、各種スイッチ、ボタンにより構成されており、撮像装置１のユーザによる各種の設定操作及び動作指示を受付ける。制御部１０１は、操作部１０９にて受付ける設定操作及び動作指示に基づき、設定内容を記憶部１０２に記憶させる動作、撮像部１０３を通じて撮像を開始する動作、記録部１０７に記録された映像データに基づき映像を再生する動作等を実行する。また、操作部１０９は、撮像装置１の電源をオン又はオフするための電源ボタンを備える。
【００４０】
出力部１１０は、液晶表示装置、テレビジョン受信装置などの表示装置を接続するためのインタフェースを備える。当該インタフェースとしては、ＨＤＭＩ（High-Definition Multimedia Interface，登録商標）、ＣＶＢＳ（Composite Video, Blanking, and Sync）、ＬＶＤＳ（Low Voltage Differential Signaling）、DisplayPortなどを用いることができる。出力部１１０は、接続された表示装置に対して、記録部１０７から読み出した映像データ及び音データを出力することにより、映像及び音を表示装置にて再生させる。
【００４１】
通信部１１１は、スマートフォン、タブレット端末、パーソナルコンピュータなどの外部デバイスと通信を行うための通信インタフェースを備える。通信部１１１は、例えば無線ＬＡＮにより外部デバイスとの間で通信接続を確立させ、記録部１０７から読み出した映像データ及び音データをストリーミング形式のデータ又はファイル単位のデータとして外部デバイスへ送信する。
【００４２】
検出部１１２は、例えば、撮像装置１に装着された取付具２を検出するためにスイッチＳＷを備える。実施の形態１におけるスイッチＳＷは、車両（四輪車）への取り付けを可能とした取付具２が撮像装置１に装着された場合にオンに切り替わり、当該取付具２が撮像装置１から取り外された場合にオフに切り替わるように構成されている。
【００４３】
撮像装置１の制御部１０１は、電源がオンされたタイミング等のタイミングで、スイッチＳＷのオン／オフの状態を判別する。スイッチＳＷがオンであると判別した場合、制御部１０１は、車両への取付具２が撮像装置１に装着されていると判断し、ドライブレコーダ用の撮像方式及び記録方式（以下、ドライブレコーダモードと称する）を選択する。
【００４４】
一方、スイッチＳＷがオフであると判別した場合、制御部１０１は、スイッチＳＷをオンに切り替えない他の取付具（例えば人体への取り付けを可能とした取付具３）が装着されている、又は撮像装置１に取付具２〜４が装着されていないと判断し、アクションカム用の撮像方式及び記録方式（以下、アクションカムモードと称する）を選択する。
【００４５】
図６はスイッチＳＷのオン／オフに応じて選択される撮像方式及び記録方式の一例を説明する説明図である。スイッチＳＷがオンの場合（すなわちドライブレコーダモードが選択された場合）、長時間録画、ＬＥＤ信号機の色消え問題対策等のために、制御部１０１は、２４Ｈｚ〜２９Ｈｚ程度のフレームレート、４Ｍｂｐｓ程度のビットレート、フルＨＤ（１９２０×１０８０）の解像度、電子式手振れ補正をオフ、かつ、画角を１３０度以上に設定した撮像方式を選択する。また、スイッチＳＷがオンの場合の記録方式として、制御部１０１は、撮像装置１の電源がオンとなったタイミングを録画開始タイミングとし、記録部１０７の容量がフルとなった場合、保護されていない古いファイルから順次上書き録画を行い、かつ、ファイルを一定の録画時間間隔（例えば数分単位）で自動分割する記録方式を選択する。
なお、これらの撮像方法及び記録方法に係る設定情報は、記憶部１０２に予め記憶されているものとする。
【００４６】
本実施の形態では、ドライブレコーダモードの場合のフレームレートを２４Ｈｚ〜２９Ｈｚ程度としたが、これは、ＬＥＤ信号機の色消え問題対策として、電源周波数である５０Ｈｚ又は６０Ｈｚに同期する２５Ｈｚ又は３０Ｈｚに設定することは好ましくないためである。本実施の形態では、ドライブレコーダモードが選択された場合のフレームレートを例えば２４Ｈｚに設定し、再生時に出力部１１０からＨＤＭＩ出力して表示装置に映像を表示する場合、３：２のプルダウンを行うことにより３０Ｈｚ又は６０Ｈｚに変換する。本実施の形態では、フレームレートを低く設定しているので、ビットレートの低減化にも寄与することができる。
【００４７】
一方、スイッチＳＷがオフの場合（すなわちアクションカムモードが選択された場合）、被写体の速い動きに対応するために、６０Ｈｚ以上のフレームレート、１５Ｍｂｐｓ以上のビットレート、フルＨＤの解像度、電子式手振れ補正をオン、かつ、画角を１００度程度に設定した撮像方式を選択する。また、スイッチＳＷがオフの場合の記録方式として、ユーザにより指示されたタイミングを録画開始タイミングとし、記録部１０７の容量がフルとなった時点で自動的に録画停止を行い、かつ、ファイルの分割を行わない記録方式を選択する。
なお、これらの撮像方法及び記録方法に係る設定情報は、記憶部１０２に予め記憶されているものとする。
【００４８】
本実施の形態では、ドライブレコーダモード又はアクションカムモードに応じて画角を異ならせる構成としたが、１３０度以上の広角レンズと、フルＨＤ以上の有効撮像範囲を有し、高速読み出しが可能な画像センサとを撮像部１０３が有する場合、それぞれの画角に対応したハードウェアプラットフォームを用意することなく、ソフトウェアの処理により、両モードの画角に対応することが可能である。また、撮像部１０３がズームレンズを搭載する場合、ズームレンズの焦点距離を変化させることによって画角を変更する構成としてもよい。
【００４９】
図７は撮像装置１の動作手順を説明するフローチャートである。撮像装置１の電源がオンされ、制御部１０１がリセットされた後、制御部１０１は、スイッチＳＷがオンであるか否かを判断する（ステップＳ１０１）。制御部１０１は、公知の手法により、スイッチＳＷのオン／オフを判断することができる。例えば、制御部１０１は、ＧＰＩＯを通じて入力される信号により判断してもよい。また、制御部１０１及びスイッチＳＷをストラップピンを介して接続し、ストラップピンのプルアップ及びプルアップを判別することによりスイッチＳＷのオン／オフを判断してもよい。
【００５０】
スイッチＳＷがオンであると判断した場合（Ｓ１０１：ＹＥＳ）、制御部１０１はドライブレコーダモードを選択し（ステップＳ１０２）、ドライブレコーダモードにて指定される撮像方式及び記録方式を用いて録画を開始させる（ステップＳ１０３）。録画を開始させた後、制御部１０１は記録再生部１０６を制御することにより、撮像部１０３から出力される映像データ、及び信号処理部１０５から出力される音データを、予め設定された録画時間間隔で記録部１０７に記録させる。
【００５１】
次いで、制御部１０１は、操作部１０９が備える電源ボタンを通じて、撮像装置１の電源をオフにする操作を受付けたか否かを判断する（ステップＳ１０４）。電源をオフにする操作を受付けていない場合には（Ｓ１０４：ＮＯ）、撮像装置１は、録画を継続して行う。
【００５２】
電源をオフにする操作を受付けた場合（Ｓ１０４：ＹＥＳ）、制御部１０１は録画を停止させる制御を行い（ステップＳ１０５）、本フローチャートによる処理を終了する。
【００５３】
ステップＳ１０１でスイッチがオンでないと判断した場合（Ｓ１０１：ＮＯ）、制御部１０１は、アクションカムモードを選択し（ステップＳ１０６）、操作部１０９を通じて録画を開始させる操作を受付けたか否かを判断する（ステップＳ１０７）。
【００５４】
録画を開始させる操作を受付けていない場合（Ｓ１０７：ＮＯ）、制御部１０１は、録画を開始させる操作を受付けるまで待機する。
録画を開始させる操作を受付けたと判断した場合（Ｓ１０７：ＹＥＳ）、制御部１０１は、アクションカムモードにて指定される撮像方式及び記録方式を用いて録画を開始させる（ステップＳ１０８）。録画を開始させた後、制御部１０１は記録再生部１０６を制御することにより、撮像部１０３から出力される映像データ、及び信号処理部１０５から出力される音データを記録部１０７に記録させる。
【００５５】
次いで、制御部１０１は、操作部１０９を通じて録画を停止させる操作を受付けたか否かを判断する（ステップＳ１０９）。録画を停止させる操作を受け付けていないと判断した場合（Ｓ１０９：ＮＯ）、制御部１０１は、記録部１０７の容量がフルとなったか否かを判断する（ステップＳ１１０）。
【００５６】
記録部１０７の容量がフルとなっていない場合（Ｓ１１０：ＮＯ）、制御部１０１は、録画を継続する制御を行う。一方、ステップＳ１０９で録画を停止させる操作を受け付けたと判断した場合（Ｓ１０９：ＹＥＳ）、又はステップＳ１１０で記録部１０７の容量がフルとなったと判断した場合（Ｓ１１０：ＹＥＳ）、制御部１０１は、録画を停止させる制御を行い（ステップＳ１１１）、本フローチャートによる処理を終了する。
【００５７】
以上のように、実施の形態１では、撮像装置１に装着された取付具２を検出し、ドライブレコーダモード及びアクションカムモードを自動的に切り替えるので、車両への取り付けを可能とした取付具２を検出した場合には、長時間録画、ＬＥＤ信号機の色消え問題対策等を実施することができ、それ以外の場合には、高フレームレート、電子手振れ補正等による撮像により、被写体の速い動きに対応することができる。
【００５８】
なお、本実施の形態では、検出部１１２が備えるスイッチＳＷは、取付具２が撮像装置１に装着された場合にオンとなり、取付具２が撮像装置１から取り外された場合にオフとなるものとして説明したが、取付具２が撮像装置１に装着された場合にオフとなり、取付具２が撮像装置１から取り外された場合にオンとなる構成であってもよい。
【００５９】
（実施の形態２）
実施の形態２では、車両への取付具２及び人体への取付具３を区別して検出する構成について説明する。
なお、撮像装置１の制御系の構成は実施の形態１と同様であるため、その説明を省略することとする。
【００６０】
図８は実施の形態２における取付具２，３の検出手法を説明する説明図である。実施の形態２に係る検出部１１２は、２つの案内孔１１２ａ，１１２ｂと、案内孔１１２ａ，１１２ｂの内部にそれぞれ設けられたスイッチＳＷ１，ＳＷ２とを備える。
【００６１】
車体への取付具２は、撮像装置１への装着時に、一方の案内孔１１２ａによって案内される検出突起２１０を備える（図８Ａを参照）。
【００６２】
スイッチＳＷ１は、例えばプッシュ式のスイッチであり、取付具２が装着されておらず、取付具２の検出突起２１０が検出部１１２から離隔している場合にオフとなり、取付具２の装着時に検出突起２１０が案内孔１１２ａの内部に案内され、検出突起２１０により押圧された場合にオンとなるように構成されている。すなわち、実施の形態２に係る検出部１１２は、車両（四輪車）への取り付けを可能とした取付具２が撮像装置１に装着された場合にスイッチＳＷ１がオンに切り替わり、当該取付具２が撮像装置１から取り外された場合にスイッチＳＷ１がオフに切り替わるように構成されている。
【００６３】
一方、人体への取付具３は、撮像装置１への装着時に、他方の案内孔１１２ｂによって案内される検出突起３１０を備える（図８Ｂを参照）。
【００６４】
スイッチＳＷ２は、例えばプッシュ式のスイッチであり、取付具３が装着されておらず、取付具３の検出突起３１０が検出部１１２から離隔している場合にオフとなり、取付具３の装着時に検出突起３１０が案内孔１１２ｂの内部に案内され、検出突起３１０により押圧された場合にオンとなるように構成されている。すなわち、実施の形態２に係る検出部１１２は、人体への取り付けを可能とした取付具３が撮像装置１に装着された場合にスイッチＳＷ２がオンに切り替わり、当該取付具３が撮像装置１から取り外された場合にスイッチＳＷ２がオフに切り替わるように構成されている。
【００６５】
実施の形態２に係る撮像装置１は、検出部１１２のスイッチＳＷ１がオンであり、かつ、スイッチＳＷ２がオフである場合、車両への取付具２が装着されていると判断し、ドライブレコーダ用の撮像方式及び記録方式を選択（ドライブレコーダモード）する。
【００６６】
一方、検出部１１２のスイッチＳＷ１がオフであり、かつ、スイッチＳＷ２がオンである場合、撮像装置１は、人体への取付具３が装着されていると判断し、アクションカム用の撮像方式及び記録方式（アクションカムモード）を選択する。
【００６７】
以上のように、実施の形態２では、撮像装置１に装着された取付具２，３を個別に検出し、ドライブレコーダモード及びアクションカムモードを自動的に切り替えるので、車両への取り付けを可能とした取付具２を検出した場合には、長時間録画、ＬＥＤ信号機の色消え問題対策等を実施することができ、人体への取り付けを可能とした取付具３を検出した場合には、高フレームレート、電子手振れ補正等による撮像により、被写体の速い動きに対応することができる。
【００６８】
なお、本実施の形態では、検出部１１２が備えるスイッチＳＷ１，ＳＷ２は、取付具２，３が撮像装置１に装着された場合にオンとなり、取付具２，３が撮像装置１から取り外された場合にオフとなるものとして説明したが、取付具２，３が撮像装置１に装着された場合にオフとなり、取付具２，３が撮像装置１から取り外された場合にオンとなる構成であってもよい。
【００６９】
（実施の形態３）
実施の形態３では、各取付具２〜４を区別して検出する構成について説明する。
なお、撮像装置１の制御系の構成は実施の形態１と同様であるため、その説明を省略することとする。
【００７０】
図９は実施の形態３に係る取付具４の検出手法を説明する説明図である。実施の形態３に係る検出部１１２は、２つの案内孔１１２ａ，１１２ｂと、案内孔１１２ａ，１１２ｂの内部にそれぞれ設けられたスイッチＳＷ１，ＳＷ２とを備える。
【００７１】
実施の形態３では、二輪車への取付具４は、案内孔１１２ａ，１１２ｂによってそれぞれ案内される２つの検出突起４１１，４１２を備える。
【００７２】
スイッチＳＷ１，ＳＷ２は、例えばプッシュ式のスイッチであり、取付具４が装着されていない場合に共にオフとなり、取付具４の装着時に検出突起４１１，４１２がそれぞれ案内孔１１２ａ，１１２ｂの内部に案内され、検出突起４１１，４１２により押圧された場合に共にオンとなるように構成されている。すなわち、実施の形態３に係る検出部１１２は、二輪車への取り付けを可能とした取付具４が撮像装置１に装着された場合にスイッチＳＷ１，ＳＷ２が共にオンに切り替わり、当該取付具４が撮像装置１から取り外された場合にスイッチＳＷ１，ＳＷ２が共にオフに切り替わるように構成されている。
【００７３】
実施の形態３に係る撮像装置１は、検出部１１２のスイッチＳＷ１，ＳＷ２が共にオンである場合、二輪車への取付具４が装着されていると判断し、ドライブレコーダ用の撮像方式及び記録方式を選択（ドライブレコーダモード）する。また、撮像装置１が二輪車に取り付けられている場合には、風切り音が問題となるので、受音部１０４から入力される信号に対し、適応型ハイパスフィルタなどの公知の手法を用いて風切り音を抑制する処理を信号処理部１０５にて施す。
【００７４】
なお、車両への取付具２及び人体への取付具３の検出手法は、実施の形態２と同様である。すなわち、検出部１１２のスイッチＳＷ１がオンであり、スイッチＳＷ２がオフである場合、撮像装置１は、車両への取付具２が装着されていると判断し、ドライブレコーダ用の撮像方式及び記録方式を選択（ドライブレコーダモード）する。また、検出部１１２のスイッチＳＷ１がオフであり、スイッチＳＷ２がオンである場合、撮像装置１は、人体への取付具３が装着されていると判断し、アクションカム用の撮像方式及び記録方式（アクションカムモード）を選択する。
【００７５】
以上のように、実施の形態３では、撮像装置１に装着された取付具２〜４を個別に検出し、ドライブレコーダモード及びアクションカムモードを自動的に切り替えるので、車両又は二輪車への取り付けを可能とした取付具２，４を検出した場合には、長時間録画、ＬＥＤ信号機の色消え問題対策等を実施することができ、人体への取り付けを可能とした取付具３を検出した場合には、高フレームレート、電子手振れ補正等による撮像により、被写体の速い動きに対応することができる。また、取付具４を検出した場合には、撮像方式を切り替えるだけでなく、風切り音を抑制する処理を併せて実行することができる。
【００７６】
（実施の形態４）
実施の形態４では、近接センサを用いて取付具２〜４を検出する構成について説明する。
【００７７】
図１０は実施の形態４における取付具２〜４の検出手法を説明する説明図である。実施の形態４に係る検出部１１２は、２つの案内孔１１２ａ，１１２ｂと、案内孔１１２ａ，１１２ｂの内部にそれぞれ設けられた近接センサＮＳ１，ＮＳ２とを備える。
【００７８】
車体への取付具２は、撮像装置１への装着時に、一方の案内孔１１２ａによって案内される検出突起２１０を備える（図１０Ａを参照）。
【００７９】
近接センサＮＳ１は、例えば静電容量型の近接センサであり、取付具２が装着されておらず、取付具２の検出突起２１０が検出部１１２から離隔している場合にオフ信号を出力し、取付具２の装着時に検出突起２１０が案内孔１１２ａの内部に案内され、検出突起２１０の先端が近接センサＮＳ１から所定距離範囲内に接近した場合にオン信号を出力するように構成されている。すなわち、実施の形態４では、車両（四輪車）への取り付けを可能とした取付具２が撮像装置１に装着された場合に近接センサＮＳ１がオン信号を出力し、当該取付具２が撮像装置１から取り外された場合にオフ信号を出力するように構成されている。
【００８０】
一方、人体への取付具３は、撮像装置１への装着時に、他方の案内孔１１２ｂによって案内される検出突起３１０を備える（図１０Ｂを参照）。
【００８１】
近接センサＮＳ２は、例えば静電容量型の近接センサであり、取付具３が装着されておらず、取付具３の検出突起３１０が検出部１１２から離隔している場合にオフ信号を出力し、取付具３の装着時に検出突起３１０が案内孔１１２ｂの内部に案内され、検出突起３１０の先端が近接センサＮＳ２から所定距離範囲内に接近した場合にオン信号を出力するように構成されている。すなわち、実施の形態４では、人体への取り付けを可能とした取付具３が撮像装置１に装着された場合に近接センサＮＳ２がオン信号を出力し、当該取付具３が撮像装置１から取り外された場合にオフ信号を出力するように構成されている。
【００８２】
本実施の形態では、近接センサＮＳ１，ＮＳ２として、静電容量型のセンサについて説明したが、他の方式の近接センサを用いてもよいことは勿論のことである。
【００８３】
また、図１０には示していないが、二輪車への取り付けを可能とした取付具４が２つの案内孔１１２ａ，１１２ｂによって案内される検出突起４１１，４１２を有する場合、近接センサＮＳ１，ＮＳ２は、取付具４が撮像装置１に装着されたときに共にオン信号を出力する。
【００８４】
以上の構成により、撮像装置１の制御部１０１は、例えば電源投入時に検出部１１２（近接センサＮＳ１，ＮＳ２）からの信号を取得することにより、取付具２〜４を区別して検出することができる。
なお、取付具２〜４の検出後の処理は、実施の形態１〜３と同様であるため、その説明を省略することとする。
【００８５】
（実施の形態５）
実施の形態５では、光学センサを用いて取付具２〜４を検出する構成について説明する。
【００８６】
図１１は実施の形態５における取付具２〜４の検出手法を説明する説明図である。実施の形態５に係る検出部１１２は、２つの案内孔１１２ａ，１１２ｂと、案内孔１１２ａ，１１２ｂのそれぞれ設けられた光学センサＬＳ１，ＬＳ２とを備える。
【００８７】
車体への取付具２は、撮像装置１への装着時に、一方の案内孔１１２ａによって案内される検出突起２１０を備える（図１１Ａを参照）。
【００８８】
光学センサＬＳ１は、発光素子と受光素子とを組み合わせたセンサであり、取付具２が撮像装置１に装着されていない場合、発光素子から出射される光を受光素子にて受光し、オフ信号を出力する。また、光学センサＬＳ１は、取付具２の装着時に検出突起２１０が案内孔１１２ａの内部に案内され、発光素子から出射される光が検出突起２１０によって遮られた場合、発光素子から出射される光を受光素子にて受光することができないため、オン信号を出力する。すなわち、実施の形態５では、車両（四輪車）への取り付けを可能とした取付具２が撮像装置１に装着された場合に光学センサＬＳ１がオン信号を出力し、当該取付具２が撮像装置１から取り外された場合にオフ信号を出力するように構成されている。
【００８９】
一方、人体への取付具３は、撮像装置１への装着時に、他方の案内孔１１２ｂによって案内される検出突起３１０を備える（図１１Ｂを参照）。
【００９０】
光学センサＬＳ２は、発光素子と受光素子とを組み合わせたセンサであり、取付具３が撮像装置１に装着されていない場合、発光素子から出射される光を受光素子にて受光し、オフ信号を出力する。また、光学センサＬＳ２は、取付具３の装着時に検出突起３１０が案内孔１１２ｂの内部に案内され、発光素子から出射される光が検出突起３１０によって遮られた場合、発光素子から出射される光を受光素子にて受光することができないため、オン信号を出力する。すなわち、実施の形態５では、人体への取り付けを可能とした取付具３が撮像装置１に装着された場合に光学センサＬＳ２がオン信号を出力し、当該取付具３が撮像装置１から取り外された場合にオフ信号を出力するように構成されている。
【００９１】
なお、図１１には示していないが、二輪車への取り付けを可能とした取付具４が２つの案内孔１１２ａ，１１２ｂによって案内される検出突起４１１，４１２を有する場合、光学センサＬＳ１，ＬＳ２は、取付具４が撮像装置１に装着されたときに共にオン信号を出力する。
【００９２】
以上の構成により、撮像装置１の制御部１０１は、例えば電源投入時に検出部１１２（光学センサＬＳ１，ＬＳ２）からの信号を取得することにより、取付具２〜４を区別して検出することができる。
なお、取付具２〜４の検出後の処理は、実施の形態１〜３と同様であるため、その説明を省略することとする。
【００９３】
（実施の形態６）
実施の形態６では、磁気センサを用いて取付具２〜４を検出する構成について説明する。
【００９４】
図１２は実施の形態６における取付具２〜４の検出手法を説明する説明図である。実施の形態６に係る検出部１１２は、２つの案内孔１１２ａ，１１２ｂと、案内孔１１２ａ，１１２ｂの内部にそれぞれ設けられた磁気センサＭＳ１，ＭＳ２とを備える。
【００９５】
車体への取付具２は、撮像装置１への装着時に、一方の案内孔１１２ａによって案内される検出突起２１０を備える（図１２Ａを参照）。実施の形態６において、検出突起２１０の少なくとも一部は金属などの導体により形成されているものとする。
【００９６】
磁気センサＭＳ１は、例えば電磁誘導方式のセンサであり、取付具２が装着されておらず、取付具２の検出突起２１０が検出部１１２から離隔している場合にオフ信号を出力する。また、磁気センサＭＳ１は、取付具２の装着時に検出突起２１０が案内孔１１２ａの内部に案内され、検出突起２１０の先端が磁気センサＭＳ１に接近した場合、検出突起２１０の導体部分に生じる渦電流をインピーダンスの変化として検出し、オン信号を出力する。すなわち、実施の形態６では、車両（四輪車）への取り付けを可能とした取付具２が撮像装置１に装着された場合に磁気センサＭＳ１がオン信号を出力し、当該取付具２が撮像装置１から取り外された場合にオフ信号を出力するように構成されている。
【００９７】
一方、人体への取付具３は、撮像装置１への装着時に、他方の案内孔１１２ｂによって案内される検出突起３１０を備える（図１２Ｂを参照）。
【００９８】
磁気センサＭＳ２は、例えば電磁誘導方式のセンサであり、取付具３が装着されておらず、取付具３の検出突起３１０が検出部１１２から離隔している場合にオフ信号を出力する。また、磁気センサＭＳ２は、取付具３の装着時に検出突起３１０が案内孔１１２ｂの内部に案内され、検出突起３１０の先端が磁気センサＭＳ２に接近した場合、検出突起３１０の導体部分に生じる渦電流をインピーダンスの変化として検出し、オン信号を出力する。すなわち、実施の形態６では、人体への取り付けを可能とした取付具３が撮像装置１に装着された場合に磁気センサＭＳ２がオン信号を出力し、当該取付具３が撮像装置１から取り外された場合にオフ信号を出力するように構成されている。
【００９９】
本実施の形態では、磁気センサＭＳ１，ＭＳ２として、電磁誘導方式のセンサについて説明したが、他の方式の磁気センサを用いてもよいことは勿論のことである。
【０１００】
また、図１２には示していないが、二輪車への取り付けを可能とした取付具４が２つの案内孔１１２ａ，１１２ｂによって案内される導体製の検出突起４１１，４１２を有する場合、磁気センサＭＳ１，ＭＳ２は、取付具４が撮像装置１に装着されたときに共にオン信号を出力する。
【０１０１】
以上の構成により、撮像装置１の制御部１０１は、例えば電源投入時に検出部１１２（磁気センサＭＳ１，ＭＳ２）からの信号を取得することにより、取付具２〜４を区別して検出することができる。
なお、取付具２〜４の検出後の処理は、実施の形態１〜３と同様であるため、その説明を省略することとする。
【０１０２】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【０１０３】
例えば、実施の形態１〜６では、最大３種類の取付具２〜４を区別して検出する構成について説明したが、スイッチ、近接センサ、光学センサ、磁気センサ等の数を増やすことにより、更に多くの取付具を区別して検出することが可能であり、夫々について撮像方式及び記録方式を異ならせてもよい。
【０１０４】
また、撮像装置１に加速度センサ等を設け、ドライブレコーダモードを選択して撮像及び記録を行っている際に、加速度センサ等により急激な加速度変化（例えば急減速）を検出した場合、記録部１０７に記録した直近の映像データを保護する構成としてもよい。
【０１０５】
以上の実施の形態に関し、更に以下の付記を開示する。
【０１０６】
本願の撮像装置は、複数の撮像方式から選択される一の撮像方式にて被写体を撮像し、撮像して得られる映像データを出力する撮像部（１０３）と、該撮像部（１０３）から出力される映像データを複数の記録方式から選択される一の記録方式にて記録する記録部（１０７）とを備え、複数の取付部位への取り付けを可能とするために、各取付部位に対応した複数種の取付具（２〜４）が着脱可能に装着される撮像装置（１）において、装着された取付具（２〜４）を検出するための検出部（１１２）と、該検出部（１１２）が検出した取付具に応じて、前記複数の撮像方式及び前記複数の記録方式から、一の撮像方式及び一の記録方式を選択する選択部（１０１）とを備えることを特徴とする。
【０１０７】
本願では、撮像装置が取り付けられた取付部位に応じて、好適な撮像方式及び記録方式を自動的に選択することができる。
【０１０８】
本願の撮像装置は、前記取付具（２〜４）は、車体への取付具（２）と、人体への取付具（３）とを含み、前記検出部（１１２）が前記車体への取付具（２）を検出した場合、前記選択部（１０１）は、前記車体の外部を撮像して映像データを記録するために設定された撮像方式及び記録方式を選択し、前記検出部（１１２）が前記人体への取付具（３）を検出した場合、前記選択部（１０１）は、前記人体に取り付けられた状態にて被写体を撮像して映像データを記録するために設定された撮像方式及び記録方式を選択することを特徴とする。
【０１０９】
本願では、車両への取り付けを可能とする取付具が装着された場合には、例えば長時間録画、ＬＥＤ信号機の色消え問題対策等を実施することができる撮像方式及び記録方式を選択することができ、人体への取り付けを可能とする取付具が装着された場合には、例えば、高フレームレートの撮像、電子手振れ補正等を実施することができる撮像方式及び記録方式を選択することができる。
【０１１０】
本願の撮像装置は、受音した音に基づく信号を出力する受音部（１０４）と、該受音部（１０４）から出力される信号に信号処理を施す信号処理部（１０５）と、該信号処理部（１０５）により信号処理を施して得られる音データを記録する音データ記録部（１０７）とを備え、前記取付具（２〜４）は、二輪車への取付具（４）を含み、前記検出部（１１２）が前記二輪車への取付具（４）を検出した場合、前記信号処理部（１０５）は、前記受音部（１０４）から出力される信号に対し、風切り音を抑制する処理を施すことを特徴とする。
【０１１１】
本願では、二輪車への取り付けを可能とする取付具が装着された場合には、風切り音を抑制することができる。
【０１１２】
本願の撮像装置は、前記検出部（１１２）は、装着された取付具によりオン及びオフが切り替わる１又は複数のスイッチ（ＳＷ）を備え、前記選択部（１０１）は、前記１又は複数のスイッチ（ＳＷ）のオン又はオフに基づき、撮像方式及び記録方式を選択することを特徴とする。
【０１１３】
本願では、スイッチのオン又はオフにより、撮像装置に装着された取付具を検出することができる。
【０１１４】
本願の撮像装置は、前記検出部（１１２）は、装着された取付具（２〜４）に応じて異なる検出信号を出力する近接センサ（ＮＳ１，ＮＳ２）、光学センサ（ＬＳ１，ＬＳ２）及び磁気センサ（ＭＳ１，ＭＳ２）のうちの少なくとも１つのセンサを備え、前記選択部（１０１）は、前記センサから出力される検出信号に基づき、撮像方式及び記録方式を選択することを特徴とする。
【０１１５】
本願では、近接センサ、光学センサ、又は磁気センサにより、撮像装置に装着された取付具を検出することができる。
【０１１６】
本願の撮像装置は、前記撮像方式は、フレームレート、ビットレート、解像度、手振れ補正の要否、及び画角のうち、少なくとも１つを設定してあることを特徴とする。
【０１１７】
本願では、四輪車又は二輪車への取り付けを可能とする取付具が装着された場合には、画質よりも録画時間を優先させることにより、ドライブレコーダとして機能させることができ、人体への取り付けを可能とする取付具が装着された場合には、録画時間よりも画質を優先させることにより、アクションカムとして機能させることができる。
【０１１８】
本願の撮像装置は、前記記録方式は、記録開始タイミング、映像データの上書きの可否、及び映像データの分割の要否のうち、少なくとも１つを設定してあることを特徴とする。
【０１１９】
本願では、四輪車又は二輪車への取り付けを可能とする取付具が装着された場合には、画質よりも録画時間を優先させることにより、ドライブレコーダとして機能させることができ、人体への取り付けを可能とする取付具が装着された場合には、録画時間よりも画質を優先させることにより、アクションカムとして機能させることができる。
【０１２０】
本願のプログラムは、複数の取付部位への取り付けを可能とする複数種の取付具（２〜４）が着脱可能に装着される撮像装置（１）に、装着された取付具（２〜４）の種類に係る情報を取得し、取得した取付具（２〜４）の種類に係る情報に基づき、複数の撮像方式及び前記複数の記録方式から、一の撮像方式及び一の記録方式を選択する処理を実行させるためのプログラムである。
【０１２１】
本願では、撮像装置が取り付けられた取付部位に応じて、好適な撮像方式及び記録方式を自動的に選択することができる。
【符号の説明】
【０１２２】
１０１  制御部
１０２  記憶部
１０３  撮像部
１０４  受音部
１０５  信号処理部
１０６  記録再生部
１０７  記録部
１０８  表示部
１０９  操作部
１１０  出力部
１１１  通信部
１１２  検出部
【図１】
2017028348.tif 000003
【図２】
2017028348.tif 000004
【図３】
2017028348.tif 000005
【図４】
2017028348.tif 000006
【図５】
2017028348.tif 000007
【図６】
2017028348.tif 000008
【図７】
2017028348.tif 000009
【図８】
2017028348.tif 000010
【図９】
2017028348.tif 000011
【図１０】
2017028348.tif 000012
【図１１】
2017028348.tif 000013
【図１２】
2017028348.tif 000014